(57)【特許請求の範囲】
【請求項１】
本体の上部一側にそれぞれ配列され三相の電源線が接続される第一、第二、第三電源端子と、前記本体の上部の中間にそれぞれ配列され三相電動機の一側端子が接続される第一、第二、第三主起動端子と、前記本体の上部中間にそれぞれ配列され前記三相電動機の多側端子が接続される第一、第二、第三スター・デルタ端子と、前記本体の上部にセッティングされ前記第一、第二、第三スター・デルタ端子をスター回路で結線させるスター結線用プレートと、前記スター結線用プレートの下部に配列され前記第一、第二、第三スター・デルタ端子をデルタ回路で結線させる第一、第二、第三デルタ結線用接点を包含し；
前記本体の底面に一体組み立てられ前記三相電動機の始動及び起動時間を調節するタイマーと；
前記本体の内部に組み立てられた２個一組の固定鉄心及びコイルの連動により磁化の如何にしたがいそれぞれ決定する主回路用電磁石及びスター・デルタ結線用電磁石と；
前記主回路用電磁石の磁化の如何にしたがい選択的に前記第一、第二、第三電源端子と第一、第二、第三主起動端子をそれぞれ接続または分離する主回路開平部と；
前記主回路用電磁石の磁化にしたがい前記第一、第二、第三電源端子と第一、第二、第三主起動端子がそれぞれ接続された状態で前記スター結線用プレートを結線させ前記三相電動機をスター結線で始動し、始動と共にカウントを始めた前記タイマーが所定時間をカウントし前記スター・デルタ結線用電磁石が順次磁化されると、前記第一、第二、第三デルタ結線用接点と第一、第二、第三スター・デルタ端子をそれぞれ結線させ前記三相電動機をデルタ結線で起動させる、スター・デルタ切り換え部を包含することを特徴とする電磁開閉器。
【請求項２】
前記スターデルタ切り換え部は、前記スター・デルタ結線用電磁石の磁化の如何にしたがい乗降するスターデルタ結線用可動鉄心と；
前記スター・デルタ結線用可動鉄心に一体に結合され同伴乗降するスター・デルタ結線用乗降部材と；
前記主回路用電磁石の磁化にしたがい前記第一、第二、第三電源端子と第一、第二、第三主起動端子とそれぞれ接続された初期状態で前記スター・デルタ結線用乗降部材と共に上昇され前記第一、第二、第三スター・デルタ端子にそれぞれ接続されると同時に前記スター結線用プレートに結線され前記三相電動機をスター結線で始動する第一、第二、第三スター結線用可動片と；
前記三相電動機がスター結線で始動し、始動と共にカウントを始めた前記タイマーが所定時間をカウントし前記スター・デルタ結線用電磁石が順次磁化されると前記スター・デルタ結線用電磁石が順次磁化される場合前記スター・デルタ結線用乗降部材と共に下降され前記第一、第二、第三スター・デルタ端子にそれぞれ接続されると同時に前記第一、第二、第三デルタ結線用接点に結線され前記三相電動機をデルタ結線で起動される第一、第二、第三デルタ結線用可動片を包含することを特徴とする、請求項１に記載の電磁開閉器。
【請求項３】
前記スター・デルタ切り換え部は、初期状態で前記三相電動機がスター結線で始動されえるように前記スター・デルタ結線用乗降部材を上昇させて、前記スター・デルタ結線用電磁石が磁化されると前記スター・デルタ結線用乗降部材を下降させ前記三相電動機がデルタ結線で起動されるように前記スター・デルタ結線用電磁石の磁力より下位する弾性係数を有する２個一組のスター・デルタ用押出スプリングと；
前記スター・デルタ用押出スプリングの弾性により前記スター・デルタ結線用乗降部材が上昇する場合、前記第一、第二、第三スター結線用可動片の急激な接触を緩和させ、前記スター・デルタ結線用電磁石の磁力により前記スター・デルタ結線用乗降部材が下降する場合前記第一、第二、第三デルタ結線用可動片の急激な接触を緩和せしめる３個一組のスター・デルタ緩衝スプリングをさらに包含することを特徴とする、請求項２に記載の電磁開閉器。
【発明の詳細な説明】
【０００１】
（技術分野）
本発明はスター−デルタ（星形−三角）結線用電磁開閉器に関し、より詳しくは三相電動機を始動するようにして短い時間内に全速に可動せしめるためのスター−デルタ始動装置に適合するように設計した専用の電磁開閉器に関する。
【０００２】
（背景技術）
周知の通り、スター（Ｙ）−デルタ（D）始動装置は電動機の結線をスター結線して始動電流及びトルクを１／３に減らして始動し、始動完了したあとデルタ結線に切り換えして運転する装置として、周辺機器及び電動機を過負荷から保護するために各種産業現場で広く使われている。
【０００３】
かかるスター−デルタ始動装置は、マグネットを利用して電気的接点を切り換えする電磁開閉器による方式と、半導体スイッチング素子を利用した無接点方式にその種類が分けられるが、そのうち電磁開閉器による方式がもっとも広く使用されている。
【０００４】
図１及び図２は従来技術による電磁開閉器及びこれを用いたスター・デルタ始動装置を説明するための図面として、図１ａは電磁開閉器の斜視図であり、図１ｂは図１のａ−ａライン断面図であり、図２はスターデルタ始動装置の等価回路図である。
【０００５】
ここに示した通り、従来の電磁開閉器Ｃは、本体１の上面１ａに着脱可能にカーバー２が結合され、該カーバー２の外側に位置する本体上面１ａの両方縁には電線を連結するための三対の端子３が互いに絶縁するように設置され、カーバー２の両方外側には端子３を分離するための分離板４が形成される。
【０００６】
本体１の上面１ａには端子３が延長された三対の固定接点５が相互絶縁して設置し、本体１の中央部に上下移動可能に乗降部材６が設置され、相互絶縁した三対の可動接点７が乗降部材６の乗降にしたがい固定接点５と短絡／開放（short／open）するように乗降部材６の両方に付設され、乗降部材６を弾力支持するように本体１の上面１ａにスプリング８が設置される。
【０００７】
本体１の下部には固定鉄心９が内設され、該固定鉄心９にコイル１０が巻回して電磁石をなし、固定鉄心９の上側には電磁石の磁化の如何にしたがい乗降部材６と共に乗降可能に可動鉄心１１が設置される。
【０００８】
一方、このように構成された電磁開閉器Ｃを利用した従来技術によるスター−デルタ始動装置は、主回路用電磁開閉器Ｃ１とスター回路用電磁開閉器Ｃ２及びデルタ結線用電磁開閉器Ｃ３が図２の等価回路図に示した通り結線され別途に設置されたタイマー（図示せず）により作動される。
【０００９】
さらに詳しく説明すれば、先ず三相電動機の始動時にスター回路用電磁開閉器Ｃ２のコイル１０に電流が印可されると該電流により固定鉄心９とコイル１０からなる電磁石が磁化される。
【００１０】
すると、スプリング８の弾性力よりそのサイズが上位する前記電磁石の磁力により可動鉄心１１及び乗降部材６が下降し、また可動接点７が下降され固定接点５に接触される。
【００１１】
また、主回路用電磁開閉器Ｃ１が前記のような同一な過程を経て動作されると、三相電動機はスター結線され始動電流及びトルクが１／３に減った状態で始動され、これと同時に別途に設置されたタイマー（図示せず）が作動して三相電動機の駆動時間がカウントされる。
【００１２】
以後、所定の設定時間が経過すると前記タイマーによりスター結線用電磁開閉器Ｃ２のコイル１０に流れる電流が遮断され、デルタ結線用電磁開閉器Ｃ３のコイル１０に電流が印可される。
【００１３】
すると、スター結線用電磁開閉器Ｃ２の固定鉄心９とコイル１０がなす電磁石の磁力が喪失され可動鉄心１１と乗降部材６及び可動接点７はスプリング６の弾性力（復元力）により上昇され可動接点７と固定接点５が相互離脱される。
【００１４】
そして、デルタ結線用電磁開閉器Ｃ３で固定鉄心９とコイル１０がなす電磁石が印可された電流により磁化し、結局デルタ結線用電磁開閉器Ｃ３の可動接点７が下降して固定接点５に接触される。
【００１５】
ここで、デルタ結線用電磁開閉器Ｃ３は図２に示した通り、一側の端子３から延長した電線が相互短絡された状態で三相電動機はデルタ結線に切り換えられ全速に運転される。
【００１６】
しかし、上述した通り、従来の電磁開閉器Ｃを用いたスター・デルタ始動装置は電磁開閉器Ｃが単一の用途、即ち、スター結線またはデルタ結線中のいずれの一つの用途のみで使用可能であるので、図３ａ及び図３ｂに図示した通り主回路用電磁開閉器Ｃ１を始めスター結線用電磁開閉器２Ｃ及びデルタ結線用電磁開閉器Ｃ３のように少なくとも３個の電磁開閉器Ｃを備えなければならない不便があった。
【００１７】
図３ａは従来技術にしたがう電磁開閉器を説明するための三相電動機の実際結線状態を示した図面であり、図３ｂは図３ａの等価回路図である。
【００１８】
例えば、２接触方式の電磁開閉器Ｃは主電源を電動機に連結した状態で使用するため危険の要素を常に抱いている状態で大容量の電動機においては主に３接触方式の電子開閉を使用している。従来は図１及び図２を参照して詳細に説明した電磁開閉器Ｃが各種現場で使われていて、その実際的な使用状態は図３ａ及び図３ｂに図示した通りタイマーＴを別途に設置しながら３個の電磁開閉器Ｃ、即ち主回路用電磁開閉器Ｃ１、スター結線用電磁開閉器Ｃ２及びデルタ結線用電磁開閉器Ｃ３をそれぞれ組み立て使用するので回線の誤結線の危険があり、設置費及び生産費が高くその上広い空間を占める短所があった。
【００１９】
また、電磁開閉器Ｃと電動機Ｍの間を多少複雑な配線を介して連結しなければならないので誤結線による電動機Ｍの毀損が頻繁に発生して大型事故の虞があった。
【００２０】
（発明の詳細な説明）
本発明は前述した通り、従来技術の問題点を解決しようと提案したものとして、一つの本体に内設された二つの電磁石が磁化される状態にしたがい異種の開閉部により三相電動機がスター結線或いはデルタ結線するようにする一体に形成されたスター・デルタ結線専用の電磁開閉器を提供することで、スター−デルタ始動装置の適用されるときに、装置の設置費の節減且つ装置の容積の減少と共に不要な配線を除去して誤結線及び誤作動の虞も減らすのにその目的がある。
【００２１】
かかる目的の達成のため本発明による電磁開閉器は、
本体の上部一側にそれぞれ配列され三相の電源線が接続される第一、第二、第三電源端子と、前記本体の上部中間にそれぞれ配列され三相電動機の一側端子が接続する第一、第二、第三主起動端子と、前記本体の上部他側にそれぞれ配列され前記三相電動機の他側端子が接続される第一、第二、第三スター・デルタ端子と、前記本体の上部にセッティングされ前記第一、第二、第三スター・デルタ端子をスター回路に結線せしめるスター結線用プレートと、前記スター結線用プレートの下部に配列され前記第一、第二、第三スター・デルタ端子をデルタ回路に結線せしめる第一、第二、第三デルタ結線用接点と；
前記本体の底面に一体に組み立てられ前記三相電動機の始動及び起動時間を調節するタイマーと；
前記本体の内部に組み立てられた２個１組の固定鉄心及びコイルの連動により磁化の如何にしたがいそれぞれ決定する主回路用電磁石及びスター・デルタ結線用電磁石と；
前記主回路用電磁石の磁化の如何にしたがい選択的に前記第一、第二、第三電源端子と第一、第二、第三主起動端子をそれぞれ接続したり分離する主回路開閉部と；
前記主回路用電磁石の磁化にしたがい前記第一、第二、第三電源端子と第一、第二、第三主起動端子がそれぞれ接続された状態で前記スター結線用プレートを結線させ前記三相電動機をスター結線で始動し、始動と共にカウントを始めた前記タイマーが所定時間をカウントし前記スター・デルタ結線用電磁石が順次磁化されると、前記第一、第二、第三デルタ結線用接点をそれぞれ結線して前記三相電動機をデルタ結線で起動せしめるスター・デルタ切り換え部をさらに含むことをその技術的構成上の基本特徴とする。
【００２２】
（図面の簡単な説明）
図１及び図２は従来技術による電磁開閉器及びこれを利用したスター・デルタ始動装置を説明するための図面で、図１ａは電磁開閉器の斜視図であり、図１ｂは図１のａ−ａライン断面図であり、図２はスター・デルタ始動装置の等価回路図である。
【００２３】
図３ａは従来技術による電磁開閉器を説明するための三相電動機の実際結線状態を示す図面であり、図３ｂは図３ａの等価回路図である。
【００２４】
図４は本発明による電磁開閉器を示す斜視図であり、図５は本発明による電磁開閉器を用いたスター・デルタ始動装置の等価回路図である。
【００２５】
図６ａは図４のＡ−Ａライン断面図であり、図６ｂは図４のＢ−Ｂライン断面図であり、図６ｃは図４のＣ−Ｃライン断面図である。
【００２６】
図７ａは本発明による電磁開閉器に適用した主回路開閉部を抜粋した斜視図であり、図７ｂは本発明による電磁開閉器に適用したスター・デルタ切り換え部を抜粋した斜視図である。
【００２７】
図８ａは本発明による電磁開閉器を説明するための三相電動機の実際結線状態を示す図面であり、図８ｂは図８ａの等価回路図である。
【００２８】
（発明の詳細な実施例）
本発明の実施例としては多数個が存在しえるし、以下添付した図面を参照しながら最も望ましい実施例に対して詳細に説明する。本望ましい実施例を通じて本発明の目的、特徴及び利点などをより理解し易く説明する。
【００２９】
図４は本発明による電磁開閉器を示す斜視図であり、図５は本発明による電磁開閉器を利用したスター・デルタ始動装置の等価回路図である。
【００３０】
本発明による電磁開閉器Ｃは主電源を電動機に連結するにつれ危険の要素を常に持っていた従来の２接触タイプの不完全な結線状態を解消するために図４及び図５に図示の通り３接触タイプの完全な状態に結線できるように設計した。そして、一つの本体１１０内にタイマー１７０を一体内蔵させ主電源をオンオフせしめるシステムとスター結線及びデルタ結線の切り換えシステムを共に内蔵した構造からなる。
【００３１】
図６ａは図４のＡ−Ａライン断面図であり、図６ｂは図４のＢ−Ｂライン断面図であり、図６ｃは図４のＣ−Ｃライン断面図である。
【００３２】
さらに具体的に、図４乃至図６に図示した通り、本発明による電磁開閉器Ｃは一つの本体１１０の内にタイマー１７０を一体に組み立てし、一つの主電源スイッチ、即ち一つの主回路用電磁石１３０と一つの主回路用乗降部材１５２の電子的なスイッチングにより主電源をオンオフさせるようにし；一つのスター／デルタ切り換えスイッチ、即ち一つのスター・デルタ結線用電磁石１４０と一つのスター・デルタ結線用乗降部材１６２のスイッチングによりスター結線またはデルタ結線を可能にして従来の主回路用電磁開閉器Ｃ１、スター回路用電磁開閉器Ｃ２及びデルタ回路用電磁開閉器Ｃ３を単一の製品に設計したものである。
【００３３】
このように、主電源、スター結線及びデルタ結線のスイッチング機能を単一の製品に可能とする本発明による電磁開閉器Ｃは従来の図３ａ及び図３ｂに対比される本発明の実際結線状態である図８ａ及び図８ｂを通じて明確に分かるように複雑な回線を簡素に処理しえるし、共に三個の電磁開閉器Ｃ１、Ｃ２、Ｃ３が必要であった従来の短所を単一の電磁開閉器Ｃで安全に機能を遂行しえるように設計したものであることを勘案するとき、その組み立て性、生産性及び卓越さが分かる。
【００３４】
図８ａは本発明による電磁開閉器を説明するための三相電動機の実際結線状態を示した図面であり、図８ｂは図８ａの等価回路図である。
【００３５】
望ましい実施例における本発明による電磁開閉器Ｃは、図４及び図５に図示の通り三相の電源線Ｒ、Ｓ、Ｔが連結される第一、第二、第三電源端子１２１ａ、１２１ｂ、１２１ｃが本体１１０の上部一側にそれぞれ配列され、三相電動機Ｍの一側端子ｕ、ｖ、ｗが連結される第一、第二、第三主起動端子１２２ａ、１２２ｂ、１２２ｃが本体１１０の上部中間にそれぞれ配列されるし、三相電動機Ｍの他側端子Ｚ、Ｘ、Ｙが連結される第一、第二、第三スター・デルタ端子１２３ａ、１２３ｂ、１２３ｃが本体１１０の上部他側にそれぞれ配列される。
【００３６】
そして、前記本体１１０の上部には第一、第二、第三スターデルタ端子１２３ａ、１２３ｂ、１２３ｃをスター回路で結線させるためのスター結線用プレート１２４がさらに備えられ、該スター結線用プレート１２４の下部には第一、第二、第三スター・デルタ端子１２３ａ、１２３ｂ、１２３ｃをデルタ回路で結線させるための第一、第二、第三デルタ結線用接点１２５ａ、１２５ｂ、１２５ｃがセッティングされる。
【００３７】
また、本体１１０の下部には２個一組の固定鉄心１３１、１４１及びコイル１３２、１４２の連動により磁化の如何にしたがいそれぞれ決定する主回路用電磁石１３０及びスター・デルタ結線用電磁石１４０が並んで組み立てられ、主回路用電磁石１３０上には主電源をオンオフスイッチングせしめる主回路開閉部１５０がセッティングされ、スター・デルタ結線用電磁石１４０上には三相電動機Ｍをスター結線して始動したあと、デルタ結線で可動せしめるためのスター・デルタ切り換え部１６０がセッティングされる。
【００３８】
前記主回路開閉部１５０は主回路用電磁石１３０の磁化の如何にしたがい選択的に第一、第二、第三電源端子１２１ａ、１２１ｂ、１２１ｃと第一、第二、第三主起動端子１２２ａ、１２２ｂ、１２２ｃをそれぞれ接続または分離させる。
【００３９】
図７ａは本発明による電磁開閉器に適用された主回路開閉部を抜粋した斜視図である。
【００４０】
さらに具体的に、前記主回路開閉部１５０は図７ａに図示の通り主回路用電磁石１３０の上に設置され主回路用電磁石１３０の磁化の如何にしたがい乗降され相互一体に結合された主回路用可動鉄心１５１及び主回路用乗降部材１５２を包含し、主回路用電磁石１３０が磁化される場合主回路用乗降部材１５２と共に下降され第一、第二、第三電源端子１２１ａ、１２１ｂ、１２１ｃと第一、第二、第三主起動端子１２２ａ、１２２ｂ、１２２ｃをそれぞれ結線せしめる第一、第二、第三主回路用可動片１５４ａ、１５４ｂ、１５４ｃを備える。
【００４１】
そして、前記主回路開閉部１５０は主回路用電磁石１３０上にセッティングされた２個一組の主回路用押出スプリング１５５により乗降可能となる。
【００４２】
前記主回路用押出スプリング１５５はノ−マル（Normal）な状態では主回路用乗降部材１５２を上昇させ、主回路用電磁石１３０が磁化されると主回路用乗降部材１５２を下降させ第一、第二、第三主回路可動片１５４ａ、１５４ｂ、１５４ｃが第一、第二、第三電源端子１２１ａ、１２１ｂ、１２１ｃと第一、第二、第三主起動端子１２２ａ、１２２ｂ、１２２ｃをそれぞれ結線させるように主回路用電磁石１３０の磁力より下位する弾性係数を有する。
【００４３】
共に、前記主回路用開閉部１５０は主回路用電磁石１３０の磁力により主回路用乗降部材１５２が下降する場合、第一、第二、第三主回路用可動片１５４ａ、１５４ｂ、１５４ｃの急激な接触を緩和せしめるための３個一組の主回路用緩衝スプリング１５６をさらに含むのが好ましい。
【００４４】
前記３個一組の主回路用緩衝スプリング１５６は例えば主回路用電磁石１３０が磁化され主回路用押出スプリング１５５の弾性係数より磁力が上位する場合主回路用乗降部材１５２が瞬間的に下降して第一、第二、第三主回路用可動片１５４ａ、１５４ｂ、１５４ｃが第一、第二、第三電源端子１２１ａ、１２１ｂ、１２１ｃと第一、第二、第三主起動端子１２２ａ、１２２ｂ、１２２ｃを結束するときもたらす衝撃または消音を緩和せしめる作用をする。
【００４５】
一方、前記スター・デルタ切り換え部１６０はスター・デルタ結線用電磁石１４０の磁化の如何により乗降され三相電動機Ｍをスター結線またはデルタ結線に切り換えする。
【００４６】
さらに詳しくは、スター・デルタ切り換え部１６０は主回路用電磁石１３０の磁化の如何にしたがい第一、第二、第三電源端子１２１ａ、１２１ｂ、１２１ｃと第一、第二、第三主起動端子１２２ａ、１２２ｂ、１２２ｃがそれぞれ接続された状態でスター結線用プレート１２４を結線させ三相電動機Ｍをスター結線で始動し、タイマー１７０がカウントされスター・デルタ結線用電磁石１４０が順次磁化される場合第一、第二、第三デルタ結線用接点１２５ａ、１２５ｂ、１２５ｃと第一、第二、第三スター・デルタ端子１２３ａ、１２３ｂ、１２３ｃをそれぞれ結線させ三相電動機Ｍをデルタ結線で起動させる。
【００４７】
図７ｂは本発明による電磁開閉器に適用されたスター・デルタ切り換え部を抜粋した斜視図である。
【００４８】
望ましい実施例として、スター・デルタ切り換え部１６０は第７ｂに図示した通りスター・デルタ結線用電磁石１４０上に設置されスター・デルタ結線用電磁石１４０の磁化の如何にしたがい乗降されるし、相互一体に結合されたスター・デルタ結線用可動鉄心１６１とスター・デルタ結線用乗降部材１６２を包含し、主回路用電磁石１３０の磁化にしたがい第一、第二、第三電源端子１２１ａ、１２１ｂ、１２１ｃが第一、第二、第三主可動端子１２２ａ、１２２ｂ、１２２ｃがそれぞれ接続された初期状態でスター・デルタ結線用乗降部材１６２と共に上昇され第一、第二、第三スター・デルタ端子１２３ａ、１２３ｂ、１２３ｃにそれぞれ接続されると同時にスター結線用プレート１２４に結線され三相電動機Ｍをスター結線で始動する第一、第二、第三スター結線用可動片１６７ａ、１６７ｂ、１６７ｃを包含し、反面三相電動機Ｍがスター結線で始動されたあとタイマー１７０を通じて設定された時間がカウントされスター・デルタ結線用電磁石１４０が順次磁化される場合スター・デルタ結線用乗降部材１６２と共に下降され第一、第二、第三スター・デルタ端子１２３ａ、１２３ｂ、１２３ｃにそれぞれ接続されると同時に第一、第二、第三デルタ結線用接点１２５ａ、１２５ｂ、１２５ｃに結線されそれぞれ三相電動機Ｍをデルタ結線で起動せしめる第一、第二、第三デルタ結線用可動片１６４ａ、１６４ｂ、１６４ｃを包含する。
【００４９】
そして、スター・デルタ切り換え部１６０はスター・デルタ結線用電磁石１４０の上にセッティングされた２個一組のスター・デルタ用押出スプリング１６５により乗降可能となる。
【００５０】
前記スター・デルタ用押出スプリング１６５はノ−マル（Normal）な状態で三相電動機Ｍがスター結線で始動しえるようにスター・デルタ結線用乗降部材１６２を上昇させて、スター・デルタ結線用電磁石１４０が磁化されると、スター・デルタ結線用乗降部材１６２を下降させ三相電動機Ｍがデルタ結線で起動されるようにスター・デルタ結線用電磁石１４０の磁力より下位する弾性係数を有する。
【００５１】
共に、前記スター・デルタ切り換え部１６０はスター・デルタ用押出スプリング１６５の弾性によりスター・デルタ結線用乗降部材１６２が上昇する場合第一、第二、第三スター結線用可動片１６７ａ、１６７ｂ、１６７ｃの急激な接触を緩和せしめて、スター・デルタ結線用電磁石１４０の磁力によりスター・デルタ結線用乗降部材１６２が下降する場合第一、第二、第三デルタ結線用可動片１６４ａ、１６４ｂ、１６４ｃの急激な接触を緩和せしめる３個一組のスター・デルタ用緩衝スプリング１６６をさらに包含するのがよい。
【００５２】
前記３個一組のスター・デルタ用緩衝スプリング１６６は、例えばスター・デルタ結線用電磁石１４０が磁化されスター・デルタ用押出スプリング１６５の弾性係数より磁力が上位する場合スター・デルタ結線用乗降部材１６２が瞬間的にに下降しながら第一、第二、第三デルタ結線用可動片１６４ａ、１６４ｂ、１６４ｃが第一、第二、第三デルタ結線用接点１２５ａ、１２５ｂ、１２５ｃと第一、第二、第三スター・デルタ端子１２３ａ、１２３ｂ、１２３ｃを結束せしめるとき発生しえる衝撃または消音を緩和せしめて；スター・デルタ結線用電磁石１４０の磁力が解除されスター・デルタ用押出スプリング１６５の自体弾性によりスター・デルタ結線用乗降部材１６２が瞬間的に上昇され第一、第二、第三スター結線用可動片１６７ａ、１６７ｂ、１６７ｃがスター結線用プレート１２４と第一、第二、第三スター・デルタ結線端子１２３ａ、１２３ｂ、１２３ｃを結束させる場合に発生させる場合に発生しえる衝撃または消音を緩和せしめる作用を発揮する。
【００５３】
そして、本発明にしたがう電磁開閉器Ｃは主回路開閉部１５０またはスター・デルタ切り換え部１６０のスイッチング動作とき発生しえるアークの発生を抑制しえるようにアーク消弧用亜鉛鍍金鋼板（図示せず）が内蔵される。
【００５４】
図面では未説明符号である１９１はコイル１３２、１４２に電流を印可するための電源線が連結される端子であり、１９２は端子に該当電源線を連結し易く取付するボルトである。
【００５５】
このように構成された本発明による電磁開閉器Ｃは図５の等価回路図に示した通り三相電動機Ｍをスター結線して始動電流及びトルクを１／３に減らして始動し、始動完了後デルタ結線で切り換えして運転するようになる。ここで図５には本発明の理解のため図４に示した構成と対応する部分は同一な参照符号を併記した。
【００５６】
本発明による電磁開閉器Ｃの動作をさらに詳細に説明したら次の通りである。
【００５７】
先ず、三相電動機Ｍの始動時に主回路用電磁石１３０のコイル１３２に電流が印可されると該電流により固定鉄心１３１とコイル１３２がなす主回路用電磁石１３０が磁化され、このときからタイマー１７０は主回路用電磁石１３０の始動時間をカウントし始める。
【００５８】
すると、主回路用押出スプリング１５５の弾性力よりそのサイズが上位する主回路用電磁石１３０の磁力により主回路用可動鉄心１５１及び主回路用乗降部材１５２が下降し、第一、第二、第三主回路用可動片１５４ａ、１５４ｂ、１５４ｃが下降され第一、第二、第三電源端子と１２１ａ、１２１ｂ、１２１ｃと第一、第二、第三主起動端子１２２ａ、１２２ｂ、１２２ｃをそれぞれ接続させる。
【００５９】
一方、スター・デルタ結線用電磁石１４０の初期状態はコイル１４２に電流が印可されない状態、即ち、磁化されない状態である。したがって、スター・デルタ結線用可動鉄心１６１及びスター・デルタ結線用乗降部材１６２はスター・デルタ用押出スプリング１６５の自体弾性力により弾力支持される状態であり、スター・デルタ結線用乗降部材１６２と共に上昇された第一、第二、第三スター結線用可動片１６７ａ、１６７ｂ、１６７ｃがスター結線用プレート１２４と第一、第二、第三スター・デルタ端子１２３ａ、１２３ｂ、１２３ｃを相互接続させるので三相電動機Ｍはスター結線で始動しえるようになる。
【００６０】
このように、三相電動機Ｍは初期に第一、第二、第三電源端子１２１ａ、１２１ｂ、１２１ｃに連結された三相の電源線Ｒ、Ｓ、Ｔから供給される電源によりスター結線で安定した状態で始動されるようになる。
【００６１】
その後、所定の時間が経過すればタイマー１７０がカウントされスター・デルタ結線用電磁石１４０のコイル１４２に電流が印可し、該電流により固定鉄心１４１とコイル１４２からなるスター・デルタ結線用電磁石１４０が磁化される。
【００６２】
すると、スター・デルタ用押出スプリング１６５の弾性力よりそのサイズが上位するスター・デルタ結線用電磁石１４０の磁力によりスター・デルタ結線用可動鉄心１６１と主回路用乗降部材１５２は下降するになる。
【００６３】
このとき、第一、第二、第三スター結線用可動片１６７ａ、１６７ｂ、１６７ｃはスター・デルタ結線用乗降部材１６２と共に下降され自然にスター結線用プレート１２４から離隔されスター結線を解除することになり、反面第一、第二、第三デルタ結線用可動片１６４ａ、１６４ｂ、１６４ｃは第一、第二、第三デルタ結線用接点１２５ａ、１２５ｂ、１２５ｃと第一、第二、第三スター・デルタ端子１２３ａ、１２３ｂ、１２３ｃにそれぞれ接続され三相電動機Ｍをデルタ結線で起動せしめることになる。
【００６４】
したがって、三相電動機Ｍは最初にスター結線され第一、第二、第三電源端子１２１ａ、１２１ｂ、１２１ｃに連結された三相の電源線Ｒ、Ｓ、Ｔから供給される電源により安定した状態で始動されるようになり、その後スター・デルタ結線用電磁石１４０が磁化されると第一、第二、第三デルタ結線用可動片１６４ａ、１６４ｂ、１６４ｃが第一、第二、第三デルタ結線用接点１２５ａ、１２５ｂ、１２５ｃと第一、第二、第三スター・デルタ端子１２３ａ、１２３ｂ、１２３ｃをそれぞれ接続させ三相電動機Ｍをデルタ結線で全速に起動しえるようにする。
【００６５】
（産業上利用可能性）
上述した通り本発明によると、一つの本体１１０内にタイマー１７０を一体内蔵させて主電源をオンオフさせえるシステムとスター結線及びデルタ結線の切り換えシステムを一つの本体１１０内に一体内蔵させた構造で構成することで三相電動機Ｍを３接触タイプの安全した状態に簡単に運転することができる。
【００６６】
即ち、本発明による電磁開閉器Ｃは一つの本体１１０内にタイマー１７０を一体組み立てさせて、一つの主回路用電磁石１３０と一つの主回路用乗降部材１５２の電磁的なスイッチングにより主電源をオンオフせしめるように設計し、一つのスター・デルタ結線用電磁石１４０と一つのスター・デルタ結線用乗降部材１６２のスイッチングによりスター結線またはデルタ結線を可能と設計され従来の複雑な回線をさらに簡素に処理しえるし、共に組み立て性及び生産性を大きく向上しえるばかりでなく誤結線の防止を通じた安定性をさらによくする卓越な効果がある。
【図１ａ】
0003869659.tif 000002
【図１ｂ】
0003869659.tif 000003
【図２】
0003869659.tif 000004
【図３ａ】
0003869659.tif 000005
【図３ｂ】
0003869659.tif 000006
【図４】
0003869659.tif 000007
【図５】
0003869659.tif 000008
【図６ａ】
0003869659.tif 000009
【図６ｂ】
0003869659.tif 000010
【図６ｃ】
0003869659.tif 000011
【図７ａ】
0003869659.tif 000012
【図７ｂ】
0003869659.tif 000013
【図８ａ】
0003869659.tif 000014
【図８ｂ】
0003869659.tif 000015